(57)【要約】【課題】ユーザが机上の情報端末に一度ログインしたあと、机で情報端末を使用した業務以外の別の業務作業を行っているときでも、情報端末が自動的にログアウトすることなく、再ログインし直す必要がないようにする。【解決手段】ログイン機能を有する情報システムにおいて、ユーザをカメラにて撮影し、カメラの映像信号からユーザの顔認証を行い、ユーザの顔認証ができなくなった場合、自動的にログアウトする。ログイン機能を有する情報端末は、ログインするユーザを撮影し、ログインユーザの顔画像を出力するカメラ手段と、カメラ部により撮影したユーザの顔画像をもとにログインユーザを認証する顔認証手段と、顔認証手段にて、ログインユーザの顔認証に失敗した場合、自動的にログアウトを実行するログアウト実行手段とを備える。【選択図】図１
2020144762.tif 000002
【特許請求の範囲】
【請求項１】
ログイン機能を有する情報システムにおいて、
情報端末と主装置からなり、
前記情報端末は、カメラ手段と、第１制御手段と、表示手段とを含み、
前記カメラ手段は、
自情報端末にログインしたとき、ログインしたユーザを撮影し、ログインユーザの顔画像を出力し、
前記第１制御手段は、
前記カメラ手段により撮影した画像を前記主装置に送信し、かつ、前記主装置側にて前記画像をもとに前記ログインユーザの顔認証に失敗し、前記主装置からログアウト指示を受けた場合、前記表示手段にログアウト表示を指示し、
前記主装置は、顔認証手段と、ログアウト実行手段と、第２制御手段とを含み、
前記顔認証手段は、
前記カメラ手段により撮影したログインユーザの顔画像と予め認証画像記録部に記録した顔画像とをもとに前記ログインユーザの顔認証を実行し、
前記ログアウト実行手段は、前記顔認証手段にて、前記ログインユーザの顔認証に失敗した場合、自動的にログアウトを実行し、
前記第２制御手段は、
前記顔認証手段にて、前記ログインユーザの顔認証に失敗した場合、顔認証失敗通知を受け、前記ログアウト実行手段および前記電話端末にログアウト指示を行う、
ことを特徴とする情報システム。
【請求項２】
請求項１に記載された情報システムにおいて、
前記主装置は、さらに、
前記顔認証手段が、ログインユーザの顔認証に成功した場合、前記認証画像記録手段よりログイン時におけるログインしたユーザの顔認証のための顔認証画像を取得し、ログインしたユーザのログイン者と顔認証画像における顔認証者の相違を検出する認証者検出手段を含み、
前記ログアウト実行手段は、前記認証者検出手段にて、顔認証者とログイン者の相違を検出した場合、ログアウトを実行する
ことを特徴とする情報システム。
【請求項３】
請求項１に記載された情報システムにおいて、
前記主装置は、さらに、
前記顔認証手段が、ログインユーザの顔認証に失敗した場合、認証画像記録手段よりログイン時におけるログインしたユーザの顔認証のための顔認証画像を取得し、前記ユーザの背景画像の変化率を検知し、当該背景画像の変化率が所定の閾値よりも大きい場合、前記ログアウト実行手段によるログアウトを停止する
ことを特徴とする情報システム。
【請求項４】
ログイン機能を有する情報端末において、
ログインするユーザを撮影し、ログインユーザの顔画像を出力するカメラ手段と、
カメラ部により撮影したユーザの顔画像をもとにログインユーザを認証する顔認証手段と、
前記顔認証手段にて、ログインユーザの顔認証に失敗した場合、自動的にログアウトを実行するログアウト実行手段と、
を備えたことを特徴とする情報端末。
【請求項５】
請求項４に記載された情報端末において、
前記顔認証手段が、ログインユーザの顔認証に成功した場合、認証画像記録手段よりログイン時におけるログインしたユーザの顔認証のための顔認証画像を取得し、ログインしたユーザのログイン者と顔認証画像における顔認証者の相違を検出する認証者検出手段を有し、
前記ログアウト実行手段は、前記認証者検出手段にて、顔認証者とログイン者の相違を検出した場合、ログアウトを実行する
ことを特徴とする情報端末。
【請求項６】
請求項４に記載された情報端末において、
前記顔認証手段が、ログインユーザの顔認証に失敗した場合、認証画像記録手段よりログイン時におけるログインしたユーザの顔認証のための顔認証画像を取得し、前記ユーザの背景画像の変化率を検知し、当該背景画像の変化率が所定の閾値よりも大きい場合、前記ログアウト実行手段によるログアウトを停止する
ことを特徴とする情報端末。
【請求項７】
請求項４に記載された情報端末において、
前記顔認証手段がログインユーザの顔認証に失敗し、前記ログアウト実行手段が自動的にログアウトを実行した場合、ログアウトを表示する表示手段を含む
ことを特徴とする情報端末。
【請求項８】
請求項５に記載された情報端末において、
前記顔認証手段が顔認証者とログイン者の相違を検出し、前記ログアウト実行手段のログアウト指示を受けた場合、ログアウトを表示する表示手段を含む
ことを特徴とする情報端末。
【請求項９】
請求項６に記載された情報端末において、
前記顔認証手段が背景画像の変化率が所定の閾値よりも大きいことを検知し、前記ログアウト手段が自動ログアウトを停止した場合、カメラ位置ずれアラームを表示する表示手段を含む
ことを特徴とする情報端末。
【発明の詳細な説明】
【技術分野】
【０００１】
本発明は、ログイン機能を有する情報システムおよび情報端末に関する。
【背景技術】
【０００２】
ログイン機能を有する端末装置として、特開２０１７−２１５７８０号公報（特許文献１）に記載の技術がある。この公報には、「ユーザのログイン後に、操作をしていない時間である無操作状態時間が所定時間経過すると、自動的にログアウトまたは操作できない状態にする操作制御部と、無操作状態時間を計測する無操作時間計測部と、アプリケーション実行中に操作を行う必要のないアプリケーションを実行中であるか否かを判定する判定部と、判定部の判定の結果、アプリケーション実行中に操作を行う必要のないアプリケーションを実行中であると判定された場合に、該アプリケーションが終わるまで、無操作状態時間の計測を停止する計測停止部とを備えた端末装置」という記載がある。
【先行技術文献】
【特許文献】
【０００３】
【特許文献１】特開２０１７−２１５７８０号公報
【発明の概要】
【発明が解決しようとする課題】
【０００４】
特許文献１に記載された発明は、ログイン後に操作をしていない無操作状態が所定時間続くと、自動的にログアウトするものである。これにより、ユーザの利便性を確保しつつ、自動的にログアウト処理を実行することができる。
係る技術を電話端末に応用した場合、ユーザが机上の電話端末に一度ログインしたあと、机で電話以外の別の業務作業を行っているときでも、所定時間が経過すると、電話端末が自動的にログアウトすることになる。このため、その所定時間が経過し、電話端末を使用しようとするごとに電話端末にログイン（再ログイン）し直す必要があり、その操作が煩わしく、面倒であるという新たな課題があった。
【０００５】
そこで、本発明では、情報端末における上述した課題を是正でき、ログイン・ログアウト機能を十分に活かすことができる技術を提供することを目的とする。
【課題を解決するための手段】
【０００６】
上記課題を解決するために、代表的な本発明の情報システムおよび情報端末の一つは、ログイン機能を有する情報システムにおいて、ユーザをカメラにて撮影し、カメラの映像信号からユーザの顔認証を行い、ユーザの顔認証ができなくなった場合、自動的にログアウトするものである。
【０００７】
例えば、ログイン機能を有する情報端末は、
ログインするユーザを撮影し、ログインユーザの顔画像を出力するカメラ手段と、
カメラ部により撮影したユーザの顔画像をもとにログインユーザを認証する顔認証手段と、
前記顔認証手段にて、ログインユーザの顔認証に失敗した場合、自動的にログアウトを実行するログアウト実行手段と、
を備えたことを特徴とする。
【発明の効果】
【０００８】
本発明によれば、ユーザの顔認識ができている間は、机で別の作業をしていて、無操作状態が所定時間経過してもログアウトすることがないので、ユーザは、再ログイン操作をする必要がなく、また、離席した場合には、自動的にログアウトするので、他人による操作を阻止することができ、情報端末を安全に利用することができる。
【図面の簡単な説明】
【０００９】
【図１】本発明の情報システムとして電話システムを例とした構成例を示すブロック図。
【図２】本発明の実施例１を説明する図であって、内線電話機と主装置との間における情報のやり取りを説明するシーケンス図。
【図３】本発明の実施例２を説明する図であって、内線電話機と主装置との間における情報のやり取りを説明するシーケンス図。
【図４】本発明の実施例３を説明する図であって、内線電話機と主装置との間における情報のやり取りを説明するシーケンス図。
【発明を実施するための形態】
【００１０】
以下、実施例について図面を用いて説明する。本開示では、情報システムおよび情報端末として電話機（ＩＰ電話機やビジネスフォン）を例として説明するが、ログインして操作する端末であればよく、電話機に特定する必要はない。
【実施例１】
【００１１】
図１は、本発明の電話システムの構成例を示すブロック図である。
電話システムは、電話端末、例えば、内線電話機２と主装置１からなる。
【００１２】
内線電話機２は、カメラ部２０２、画像通信部２０１、主制御部２０３、主装置通信部２０４、ＬＣＤ表示部２０５を有する。
【００１３】
カメラ部２０２は、例えば、内線電話機２を操作する利用者（以下、ログインユーザと称する）が認識ＩＤやパスワードを入力してログインしたとき、ログインユーザを撮影し、ログインユーザの顔画像を含むカメラ画像を出力する。
【００１４】
画像通信部２０１は、ＬＡＮを介して主装置１の画像通信部１０１との間で通信し、カメラ部２０２のカメラ画像を主装置１側に送信する。
【００１５】
主装置通信部２０４は、ＬＡＮを介して主装置１の内線電話機通信部１０６との間で通信し、主装置１の主制御部１０５からのログアウト指示を受信する。
【００１６】
ＬＣＤ表示部２０５は、ログアウト指示、またはカメラ位置ずれを示すアラームを表示する。本例では、ＬＣＤ表示部２０５としているが、ＬＣＤに限定する必要はない。
【００１７】
主制御部２０３は、内線電話機２各部を制御する。
【００１８】
主装置１は、画像通信部１０１、画像バッファ１０２、顔認証部１０３、認証画像記録部１０４、主制御部１０５、内線電話機通信部１０６、ログアウト実行部１０７を有する。
【００１９】
画像通信部１０１は、内線電話機２の画像通信部２０１から送信されたカメラ画像や端末情報を受信する。
【００２０】
画像バッファ１０２は、カメラ画像や端末情報を一時記憶する。
【００２１】
顔認証部１０３は、カメラ画像に含まれる顔画像とログインユーザの顔画像とをもとにログインユーザの顔認証を行う。顔認証部１０３は、背景画像の変化率を判定するために必要となる閾値を含み、既存の技術を利用するとよい。
【００２２】
認証画像記録部１０４は、認証対象となるログインユーザの顔画像や背景画像を予め記憶する。
【００２３】
内線電話機通信部１０６は、主装置１の主制御部１０５からのログアウト指示を内線電話機２の主装置通信部２０４に送信する。
【００２４】
ログアウト実行部１０７は、顔認証部１０３にて認証した結果、認証に失敗した場合、自動的にログアウトを行う。また、認証に失敗した場合でも背景画像の変化率が所定の閾値を超える変化率大の場合には、ログアウト実行部により自動的にログアウトする自動ログアウトを停止する。
【００２５】
主制御部１０５は、主装置１の各部を制御する。
【００２６】
図２は、本発明の電話端末装置の実施例１を説明する図であって、内線電話機と主装置との間における情報のやり取りを説明するシーケンス図である。図２のシーケンスに基づく動作は以下のとおりである。
【００２７】
ステップＳ１０１：
主装置１は、主制御部１０５から内線電話機通信部１０６を介して内線電話機２に対して、カメラ画像要求を指示する。
【００２８】
ステップＳ１０２：
内線電話機２は、主装置１からのカメラ画像要求を主装置通信部２０４にて受信し、主制御部２０３に供給する。主制御部２０３は、カメラ画像要求に基づきカメラ部２０２を制御し、カメラ部２０２のカメラ画像および端末情報を、画像通信部２０１を介して主装置１に送信する。
【００２９】
ステップＳ１０３：
主装置１は、内線電話機２から送信されるカメラ画像および端末情報を画像通信部１０１にて受信し、画像バッファ１０２を介して顔認証部１０３に供給する。
顔認証部１０３は、カメラ画像を受け、認証画像記録部に予め登録されたユーザの顔画像をもとにユーザの顔認証を実行する。
このとき、顔認証に成功した場合は、顔認証成功を主制御部１０５に通知する。
【００３０】
ステップＳ１０４：
顔認証部１０３は、顔認証に失敗した場合は、顔認証失敗を主制御部１０５に通知する。
【００３１】
ステップＳ１０５：
主制御部１０５は、顔認証失敗通知を受けたとき、ログアウト実行部１０７に対してログアウト指示を行う。
これにより、ログアウト実行部１０７は、内線電話機２のログアウトを実行する。
【００３２】
ステップＳ１０６：
また、主制御部１０５は、内線電話機通信部１０６を介して内線電話機２に対してもログアウト指示を行う。
【００３３】
内線電話機２は、主装置１からのログアウト指示を主装置通信部２０４にて受信し、主制御部２０３に送出する。主制御部２０３は、ログアウト指示を受けて、ＬＣＤ表示部２０５にログアウトを表示する。
【００３４】
以上述べた実施例によれば、ユーザが机で作業し、ユーザの顔認証が成功している間は、電話端末の無操作状態が所定時間続いてもログインを継続することができ、再ログイン操作をする必要がない。また、例えば、不在時には、顔認証に失敗するので、電話端末を確実にログアウトでき、かつ、安全に利用することができる。
また、内線電話機２と主装置１を別構成としているが、主装置１の一部又は全部を内線電話機２内に設けてもよい。
【実施例２】
【００３５】
実施例１において、離席した場合、短い時間であったとしても、ログアウトしてしまうケースが考えられる。また、電話端末、つまり、カメラが設置される場所によっては、一時的にユーザの顔を撮影することができなくなる場合も考えられる。
【００３６】
本実施例は、斯様なケースを想定したものであり、電話端末のログアウトするタイミングをログインした人物（ユーザ）以外の人の顔認識を行ったときになるようにしたものである。
【００３７】
図３は、本発明の電話システムの実施例２を説明する図であって、内線電話機と主装置との間における情報のやり取りを説明するシーケンス図である。
図３のシーケンスに基づく動作は以下のとおりである。
【００３８】
ステップＳ２０１：
主装置１は、主制御部１０５から内線電話機通信部１０６を介して内線電話機２に対して、カメラ画像要求を指示する。
【００３９】
ステップＳ２０２：
内線電話機２は、主装置１からのカメラ画像要求を主装置通信部２０４にて受信し、主制御部２０３に供給する。主制御部２０３は、カメラ画像要求に基づきカメラ部２０２を制御し、カメラ部２０２のカメラ画像および端末情報を、画像通信部２０１を介して主装置１に送信する。
【００４０】
ステップＳ２０３：
主装置１は、内線電話機２から送信されるカメラ画像および端末情報を画像通信部１０１にて受信し、画像バッファ１０２を介して顔認証部１０３に供給する。
顔認証部１０３は、カメラ画像を受け、ユーザの顔認証を実行する。
このとき、顔認証に成功した場合は、認証画像記録部１０４に対して、ログイン時におけるユーザの顔認証のための顔認証画像要求を指示する。
【００４１】
ステップＳ２０４：
認証画像記録部１０４は、顔認証画像要求指示を受け、ログイン時におけるユーザ（ログイン者）の顔認証のための顔認証画像を顔認証部１０３に送出する。
このとき、顔認証部１０３は、ログイン時におけるユーザ（ログイン者）と顔認証者が相違するか否かを認証する。
【００４２】
ステップＳ２０５：
そして、顔認証部１０３は、ログイン時におけるユーザ（ログイン者）と顔認証者が相違することを検出した場合、顔認証者とユーザ（ログイン者）の相違を主制御部１０５に対して通知する。
【００４３】
ステップＳ２０６：
主制御部１０５は、顔認証部１０３より顔認証者とユーザ（ログイン者）の相違を示す通知を受けたとき、ログアウト実行部１０７に対してログアウト指示を行う。
これにより、ログアウト実行部１０７は、内線電話機２のログアウトを実行する。
【００４４】
ステップＳ２０７：
また、主制御部１０５は、内線電話機通信部１０６を介して内線電話機２に対してもログアウト指示を行う。
内線電話機２は、主装置１からのログアウト指示を主装置通信部２０４にて受信し、主制御部２０３に送出する。主制御部２０３は、ログアウト指示を受けて、ＬＣＤ表示部２０５にログアウトを表示する。
【００４５】
以上述べた実施例２では、第三者による電話端末の利用を防ぐことができる。なお、実施例２では、電話端末のログアウトするタイミングをログインした人物（ユーザ）以外の人の顔認識を行ったときとしたが、実施例１のようにログインした人物（ユーザ）の顔認識ができなくなったタイミングでログアウトする方法と任意で選択できるようにしてもよい。
【実施例３】
【００４６】
カメラの前に物を置いた場合やカメラの向きを意図せず変えてしまった場合、ユーザなどの顔認証がうまくできずにログアウトしてしまう不都合が想定される。
【００４７】
本実施例は、斯様なケースを想定したものであり、カメラでユーザの顔認証だけでなく、カメラで撮影した周囲の背景を示す背景画像も記録しておき、周囲の背景が著しく変化して顔認識ができなくなった場合、例えば、カメラの前に荷物などを置いてしまった場合やカメラに触れてカメラの向きを意図せずに変えてしまった場合には、電話端末にアラームを通知し、また、ログアウト実行部１０７による自動ログアウトを停止させるものである。
図４を参照し、実施例２から変更があるステップのみ、以下に示す。
【００４８】
ステップＳ３０３：
顔認証部１０３は、顔認証に失敗した場合、認証画像記録部１０４に対して、ログイン時におけるユーザの顔認証のための顔認証画像要求を指示する。
【００４９】
ステップＳ３０４：
認証画像記録部１０４は、顔認証画像要求指示を受け、ログイン時におけるユーザ（ログイン者）の顔認証のための顔認証画像を顔認証部１０３に送出する。
このとき、顔認証部１０３は、背景画像の変化率を検出し、変化率が所定の閾値を超えた場合、背景画像の変化率大を検知する。
【００５０】
ステップ３０５：
そして、顔認証部１０３は、背景画像の変化率大を検知した場合、背景画像の変化率大を主制御部１０５に対して通知する。
【００５１】
ステップＳ３０６：
主制御部１０５は、顔認証部１０３より背景画像の変化率大の通知を受けたとき、ログアウト実行部１０７に対して自動ログアウト停止指示を行う。
これにより、ログアウト実行部１０７は、内線電話機２のログアウト停止を実行する。
【００５２】
ステップＳ３０７：
また、主制御部１０５は、内線電話機通信部１０６を介して内線電話機２に対してアラーム指示を行う。
内線電話機２は、主装置１からのアラーム指示を主装置通信部２０４にて受信し、主制御部２０３に送出する。主制御部２０３は、アラーム指示を受けて、ＬＣＤ表示部２０５にカメラの位置ずれが発生したことを示すアラームを表示する。
【００５３】
本実施例によれば、不要なログアウトを未然に防止することが期待できる。
【００５４】
以上述べた実施例では、顔認証機能やログアウト実行機能を主装置側で行っているが、内線電話機側にて行ってもよい。
【符号の説明】
【００５５】
１  主装置
１０１  画像通信部
１０２  画像バッファ
１０３  顔認証部
１０４  認証画像記録部
１０５  主制御部
１０６  内線電話機通信部
１０７  ログアウト実行部
２  内線電話機
２０１  画像通信部
２０２  カメラ部
２０３  主制御部
２０４  主装置通信部
２０５  ＬＣＤ表示部
【図１】
2020144762.tif 000003
【図２】
2020144762.tif 000004
【図３】
2020144762.tif 000005
【図４】
2020144762.tif 000006